(57)【要約】      （修正有）【課題】放電機能を備え、かつ、なるべく薄型化された空気調和機を提供する。【解決手段】１つ又は複数のケーシング部材１０１と、放電ユニット２０２とを備える空気調和機１００。上記ケーシング部材１０１は、当該空気調和機１００の正面視において側方に、側方吸込口１１０が形成されるように構成されている。放電ユニット２０２は、電位差のある正負２つの電極を有し、前記電極間で放電させるユニットである。放電ユニット２０２は、側方吸込口１１０の近傍に、側方吸込口１１０に沿って延びる。【選択図】図１０
2013007553.tif 000002
【特許請求の範囲】
【請求項１】
正面視において、側方に側方吸込口（１１０）を有するケーシング部材（１０３）と、
正負２つの電極（２３１、２３２）を有し、前記側方吸込口（１１０）の近傍に、前記側方吸込口（１１０）に沿う側方放電部（２０１、２０２）と、
を備えた、
空気調和機（１００）。
【請求項２】
前記電極（２３１、２３２）のうちの少なくとも一つが取り外し可能に構成された、
請求項１に記載の空気調和機（１００）。
【請求項３】
塵埃を捕集するフィルタ部（３１０）、
をさらに備え、
前記側方放電部（２０１、２０２）は、前記空気調和機（１００）の側面視において前記フィルタ部（３１０）と重なるように配置される、
請求項１又は２に記載の空気調和機（１００）。
【請求項４】
前記側方吸込口（１１０）は、前記空気調和機（１００）の左右側方にそれぞれ形成されており、
前記側方放電部（２０１、２０２）は、前記側方吸込口（１１０）それぞれの近傍に１つずつ配置された、
請求項１〜３に記載の空気調和機（１００）。
【請求項５】
前記側方放電部（２０１、２０２）は、前記空気調和機（１００）の側面視において前記ケーシング部材（１０３）に重なるように配置される、
請求項１〜４に記載の空気調和機（１００）。
【請求項６】
前記側方吸込口（１１０）は、正面視において前記側方放電部（２０１、２０２）の斜め後方に位置する、
請求項５に記載の空気調和機（１００）。
【請求項７】
正負２つの電極を有する下方放電部と、
前記ケーシング部材（１０３）の前方に位置する前パネル（１０２）と、
をさらに備え、
前記前パネル（１０２）は、正面視において下方に横に延びる下吸込口（１１３）を形成するように構成され、
前記下方放電部は、前記下吸込口（１１３）の近傍に、前記下吸込口（１１３）に沿うように配置される、
請求項１〜６のいずれかに記載の空気調和機（１００）。
【請求項８】
前記側方放電部（２０１，２０２）は、塵埃を捕集するフィルタである第１プレフィルタ（２１９）が気流の上流部に形成されたケーシング（２１１）を有する、
請求項１〜７のいずれかに記載の空気調和機（１００）。
【請求項９】
前記下方放電部は、塵埃を捕集するフィルタである第２プレフィルタが気流の上流部に形成されたケーシングを有する、
請求項７に記載の空気調和機（１００）。
【請求項１０】
前記フィルタ部（３１０）と前記前パネル（１０２）との間に前記フィルタ部（３１０）と前記前パネル（１０２）との距離が少なくとも４ｃｍの空間が設けられた、
請求項７〜９のいずれかに記載の空気調和機（１００）。
【発明の詳細な説明】
【技術分野】
【０００１】
本発明は、空気調和機に関する。
【背景技術】
【０００２】
近年、特許文献１（特開２００７−６１６６８号公報）に記載されているような放電機能を有し室内から取り込んだ空気を清浄化することができる空気調和機が利用されている。この空気調和機は、コロナ放電により空気中に浮遊している比較的小さな塵埃を耐電させるプラズマイオン化部を備えている。吸込口から吸い込まれた空気の流路に、上流からプレフィルタ、プラズマイオン化部、光触媒フィルタ、プラズマ触媒フィルタの順に配置されている。また、特許文献２（実開昭６３−６３１２９号公報）に記載の空気調和機のようにイオン化部を左右２つ備えた空気調和機もある。
【発明の概要】
【発明が解決しようとする課題】
【０００３】
しかし、特許文献１に記載のような空気調和機では、プラズマイオン化部を備える分だけ空気調和機の奥行きの寸法が長くなり、空気調和機の薄型化の妨げとなる。特許文献２に記載の空気調和機も、空気調和機の前面から吸い込んだ空気を左右に配置されたイオン化部に向けて分流するために配置されているガイド板が薄型化の妨げとなっている。
【０００４】
そこで、本発明の課題は、放電機能を備え、かつ、なるべく薄型化された空気調和機を提供することにある。
【課題を解決するための手段】
【０００５】
本発明の第１観点に係る空気調和機は、正面視において側方に側方吸込口を有するケーシング部材と、側方吸込口の近傍に側方吸込口に沿う側方放電部とを備える。側方放電部は、正負２つの電極を有する。
【０００６】
本発明の第１観点に係る空気調和機では、側方吸込口が当該空気調和機の正面視において側方に形成されており、側方放電部は、側方吸込口の近傍に位置し、側方吸込口に沿っている。したがって、放電機能を備えた空気調和機の奥行きの寸法をなるべく小さくできる。これにより、放電機能を備え、かつ、なるべく薄型化された空気調和機を提供することができる。
【０００７】
本発明の第２観点に係る空気調和機は、第１観点に係る空気調和機であって、電極のうちの少なくとも一つが取り外し可能に構成される。
【０００８】
本発明の第２観点に係る空気調和機では、電極のうちの少なくとも一つが取り外し可能に構成されている。したがって、放電部の清掃を容易にすることが出来る。
【０００９】
本発明の第３観点に係る空気調和機は、第１観点又は第２観点に係る空気調和機であって、塵埃を捕集するフィルタ部をさらに備える。側方放電部は、空気調和機の側面視においてフィルタ部と重なるように配置される。
【００１０】
本発明の第３観点に係る空気調和機では、側方放電部は、空気調和機の側面視において、塵埃を捕集するフィルタ部と重なるように配置されている。したがって、放電機能を備えた空気調和機の奥行きの寸法をさらに小さくできる。
【００１１】
本発明の第４観点に係る空気調和機は、第１観点から第３観点に係る空気調和機であって、側方吸込口は、空気調和機の左右側方にそれぞれ形成されている。側方放電部は、側方吸込口それぞれの近傍に１つずつ配置されている。
【００１２】
本発明の第４観点に係る空気調和機では、側方放電部は、空気調和機の左右側方の側方吸込口それぞれの近傍に１つずつ配置されている。これにより、左右側方に配置された側方放電部の間のスペースを空けることが出来る。したがって、放電機能を備えた空気調和機の奥行きの寸法をさらに短くできる。
【００１３】
本発明の第５観点に係る空気調和機は、第１観点から第４観点のいずれかに係る空気調和機であって、側方放電部は、空気調和機の側面視においてケーシング部材に重なるように配置される。
【００１４】
本発明の第５観点に係る空気調和機では、側方放電部は、空気調和機の側面視においてケーシング部材に重なって配置される。したがって、側方放電部が、空気調和機の側面視においてケーシング部材に重なって見えにくいので、安全性を確保することができる。
【００１５】
本発明の第６観点に係る空気調和機は、第５観点に係る空気調和機であって、側方吸込口は、正面視において側方放電部の斜め後方に位置する。
【００１６】
本発明の第６観点に係る空気調和機では、側方放電部が側方吸込口から見えにくいので、安全性を確保することができる。
【００１７】
本発明の第７観点に係る空気調和機は、第１観点から第６観点のいずれかに係る空気調和機であって、下方放電部と前パネルとをさらに備える。下方放電部は、正負２つの電極を有する。前パネルは、ケーシング部材の前方に位置する。前パネルは、正面視において下方に横に延びる下吸込口を形成するように構成される。下方放電部は、下吸込口の近傍に、下吸込口に沿うように配置される。
【００１８】
本発明の第７観点に係る空気調和機では、空気調和機は、正面視において下方に下吸込口と当該下吸込口に沿って延びる下方放電部とをさらに備える。したがって、空気調和機の集塵能力を高めることができる。
【００１９】
本発明の第８観点に係る空気調和機は、第１観点から第７観点のいずれかに係る空気調和機であって、側方放電部は、ケーシングを有する。ケーシングには、第１プレフィルタが気流の上流部に形成されている。第１プレフィルタは、塵埃を捕集するフィルタである。
【００２０】
本発明の第８観点に係る空気調和機では、側方放電部は、気流の上流部にあたる部位に塵埃を捕集するフィルタが形成されたケーシングを有する。したがって、空気調和機の集塵能力を高めることができる。
【００２１】
本発明の第９観点に係る空気調和機は、第７観点に係る空気調和機であって、下方放電部は、ケーシングを有する。ケーシングには、第２プレフィルタが気流の上流部に形成されている。第２プレフィルタは、塵埃を捕集するフィルタである。
【００２２】
本発明の第９観点に係る空気調和機では、下方放電部は、気流の上流部にあたる部位に塵埃を捕集するフィルタが形成されたケーシングを有する。したがって、空気調和機の集塵能力を高めることができる。
【００２３】
本発明の第１０観点に係る空気調和機は、第７観点から第９観点のいずれかに係る空気調和機であって、フィルタ部と前パネルとの間にフィルタ部と前パネルとの距離が少なくとも４ｃｍの空間が設けられる。
【００２４】
本発明の第１０観点に係る空気調和機では、前パネルとフィルタ部との間に、距離が少なくとも４ｃｍの空間が設けられている。したがって、空気調和機内の空気の流れをスムーズにすることができる。
【発明の効果】
【００２５】
本発明の第１観点に係る空気調和機では、放電機能を備え、かつ、なるべく薄型化された空気調和機を提供することができる。
【００２６】
本発明の第２観点に係る空気調和機では、放電部の清掃を容易にすることが出来る。
【００２７】
本発明の第３観点及び第４観点に係る空気調和機では、放電機能を備えた空気調和機の奥行きの寸法をさらに小さくできる。
【００２８】
本発明の第５観点及び第６観点に係る空気調和機では、安全性を確保することができる。
【００２９】
本発明の第７観点から第９観点に係る空気調和機では、空気調和機の集塵能力を高めることができる。
【００３０】
本発明の第１０観点に係る空気調和機では、空気調和機内の空気の流れをスムーズにすることができる。
【図面の簡単な説明】
【００３１】
【図１】本発明の１実施形態に係る空気清浄機の正面斜視図
【図２】本発明の１実施形態に係る空気清浄機の側面視図
【図３】本発明の１実施形態に係る空気清浄機における送風の経路を示す概念図
【図４】本発明の１実施形態に係る空気清浄機の分解図
【図５】放電ユニットの外観図
【図６】放電ユニットのケーシング見開き図
【図７】図６の放電ユニットのVII−VII断面図
【図８】図５の放電ユニットのVIII−VIII断面図
【図９】接点ユニットの正面斜視図
【図１０】図１の空気清浄機のＸ−Ｘ断面図
【発明を実施するための形態】
【００３２】
以下、図面を参照しながら、本発明の実施形態について説明する。なお、以下の実施形態は、本発明の具体例であって、本発明の技術的範囲を限定するものではない。
【００３３】
（１）空気調和機の概要構成
本発明の一実施形態に係る空気調和機は、空気清浄機１００である。空気清浄機１００は、本体１００ａと当該本体１００ａを覆う複数のケーシング部材１０１から構成されている。本体１００ａには、後述する放電ユニット２００、フィルタ部３１０、加湿部３２０、シロッコファン３５０、及びストリーマ放電ユニット３４０等が収納されている。
【００３４】
（１−１）外観
図１は、当該空気清浄機１００の正面斜視における外観正面斜視図である。空気清浄機１００の正面は、ケーシング部材の１つである合成樹脂製の前パネル１０２に覆われている。正面の下方には、前パネル１０２に覆われていない部分があり、当該部分に下吸込口１１３が設けられている。図２は、空気清浄機１００の側面視における外観側面視図である。図２において、空気清浄機１００の側面の一部は、ケーシング部材の１つである合成樹脂製の側方吸込口形成部材１０３により覆われている。側方吸込口形成部材１０３には、空気を取り込む第１側方吸込口１１１が縦方向に延びるように形成されている。つまり、第１側方吸込口１１１は、縦の寸法の方が、横の寸法よりも大きい。また、図示されていないが、空気清浄機１００の反対側の側面の一部も同様に側方吸込口形成部材１０３により覆われている。側方吸込口形成部材１０３には、第１側方吸込口１１１に対向する位置に第２側方吸込口１１２が縦方向に延びるように形成されている。第２側方吸込口１１２の縦横の寸法は、第１側方吸込口１１１の寸法と同じである。以下、第１側方吸込口１１１及び第２側方吸込口１１２を指す場合は、側方吸込口１１０とし、側方吸込口１１０及び下吸込口１１３の全てを指す場合は、単に吸込口とする。
【００３５】
空気清浄機１００内に吸い込まれた空気が吹き出される吹出口１１４は、図１及び図４に示されているように空気清浄機１００の上面に設けられている。
【００３６】
なお、下吸込口１１３は、前パネル１０２に形成されていても良く、また、前パネル１０２と側方吸込口形成部材１０３とは、一体化された１つのケーシング部材であってもよい。
【００３７】
（１−２）空気の流れ
図３は、空気清浄機１００における塵埃の除去および分解の概念を説明するための概念図である。図３において、シロッコファン３５０によって吸込口から吹出口１１４に至る空気の流れ５０１が発生する。吸込口から吸込まれた室内空気は、フィルタ部３１０で塵埃や臭い成分などが取り除かれ、シロッコファン３５０から清浄な空気が吹き出される。
【００３８】
（２）詳細構成
（２−１）放電ユニットの配置
図４は、空気清浄機１００から前パネル１０２等のケーシング部材の一部を取り外した分解図である。図１０は、空気清浄機１００の横断面の正面付近の図である。図４及び図１０に示されているように、放電ユニット２００は、縦に長い筒状の形状をしており、第１側方吸込口１１１及び第２側方吸込口１１２の近傍に１つずつ、それぞれの側方吸込口１１０に沿って縦に、着脱可能に設置されている。放電ユニット２００は、吸い込まれた空気の中に浮遊している比較的小さな塵埃を帯電させる。第１側方吸込口１１１の近傍に配置されている放電ユニット２００は、放電ユニットＬ２０１である。第２側方吸込口１１２の近傍に配置されている放電ユニット２００は、放電ユニットＲ２０２である。放電ユニット２００の縦横それぞれの寸法は、側方吸込口１１０の縦横それぞれの寸法よりも大きく、放電ユニット２００は側方吸込口形成部材１０３と、その間になるべく隙間ができないように接しているので、側方吸込口１１０から吸い込まれる空気は、全て放電ユニット２００を通るように構成されている。
【００３９】
図１０に示されているように、２つの放電ユニット２００は、空気清浄機１００の側面視においてフィルタ部３１０のプレフィルタ３１１に重なって配置されている。具体的には、放電ユニットＬ２０１は、空気清浄機１００の右側面視においてプレフィルタ３１１の前方に一部重なって配置されている。他方、放電ユニットＲ２０２は、空気清浄機１００の左側面視においてプレフィルタ３１１の前方に一部重なって配置されている。換言すると、放電ユニット２００は、空気清浄機１００の正面視において、フィルタ部３１０と重なっていない。このように、放電ユニット２００が配置されていることにより、先ず、フィルタ部３１０のプレフィルタ３１１及びＨＥＰＡフィルタ３１２等を空気清浄機１００から取り外す際、放電ユニット２００を取り外す必要がないという効果がある。また、放電ユニット２００を搭載していても、その分、空気清浄機１００の奥行きの寸法を大きくする必要がなく、空気清浄機１００の薄型化が可能という効果がある。
【００４０】
また、放電ユニット２００は、図１０に示されているように、空気清浄機１００の側面視において、側方吸込口形成部材１０３の後方に重なって配置されている。具体的には、放電ユニットＬ２０１は、空気清浄機１００の右側面視において側方吸込口形成部材１０３の後方に重なって配置されている。他方、放電ユニットＲ２０２は、空気清浄機１００の左側面視において側方吸込口形成部材１０３の後方に重なって配置されている。換言すると、空気清浄機１００の正面視において、各側方吸込口１１０は、各放電ユニット２００の斜め後方に配置されている。このため、図２に示されているように、空気清浄機１００の側面視において放電ユニット２００が側方吸込口形成部材１０３の後方に隠れて見えにくくなっている。このため、高電圧が印加される放電ユニット２００に、空気清浄機１００の外側から手で触れにくくなっており、安全性が確保されている。
【００４１】
空気清浄機１００の前パネル１０２とプレフィルタ３１１との間には、空間が設けられている。ここで、空間とは、何も構造物が存在しないことを意味する。当該空間は、その平面は、前パネル１０２、プレフィルタ３１１、及び２つの放電ユニット２００により囲われており、その上下は、空気清浄機１００本体１００ａ内部の底とプレフィルタ３１１より少し上に位置する接点ユニット３０１の底とに囲われている。前パネル１０２とプレフィルタ３１１との間の距離は、少なくとも４ｃｍであることが好ましく、本実施形態では、当該距離は、約４ｃｍである。２つの放電ユニット２００間の距離は、約２４ｃｍである。当該空間の高さは、プレフィルタ３１１の縦の寸法以上である。このため、側方吸込口１１０から放電ユニット２００を通過した空気が、スムーズにプレフィルタ３１１の前へ回りこみ、プレフィルタ３１１を含むフィルタ部３１０へスムーズに流れるようになる。
【００４２】
（２−２）放電ユニットの構成
以下、図５〜図８を参照しながら、放電ユニット２００の構成について説明する。以下、上或いは上端とは、放電ユニット２００が空気清浄機１００に縦に装着された状態における上或いは上端を指し、下或いは下端とは、同じく放電ユニット２００が空気清浄機１００に縦に装着された状態における下或いは下端を指すものとする。放電ユニットＬ２０１と放電ユニットＲ２０２とは、基本的に同じ構成を有するので、以下、放電ユニットＬ２０１について説明し、放電ユニットＲ２０２についての説明は省略する。
【００４３】
＜放電発生部＞
図５は、放電ユニットＬ２０１の外観図である。放電ユニットＬ２０１は、縦に長い筒状の形状をした合成樹脂製のケーシング２１０を有する。図６に示されているように、ケーシング２１０は、ケーシング第１部２１１及びケーシング第２部２１２の２つに縦に分かれており、ケーシング第１部２１１とケーシング第２部２１２とは、ヒンジ２１３で繋がれている。
【００４４】
ケーシング第１部２１１は、正負２つの電極のうちの正極であるタングステン製のイオン化線２３１を保持する。負極は、ケーシング第２部２１２により保持されている。負極は、ステンレス金属製の板状の電極（電極板２３２）である。
【００４５】
図７は、ヒンジ２１３を開いた状態での放電ユニットＬ２０１の断面図である。ケーシング第１部２１１は、縦方向に長く、横断面が半円に近い形状をしている。ここで、当該略半円形状の凹湾曲面をケーシング第１部２１１の内側、当該略半円形状の凸湾曲面をケーシング第１部２１１の外側とする。また、外側から観た場合の左右をケーシング第１部２１１の左右とする。ケーシング第１部２１１の下端の近傍の内側には、ブリッジ２１７が設けられている。ブリッジ２１７は、図７に示されているように、ケーシング第１部２１１が形成する空間から外に突出した部材であり、その先端付近の両側にはそれぞれ、イオン化線２３１を嵌合するための窪みが形成されている。ケーシング第１部２１１の上端には、イオン化線２３１の一端が取り付けられている。イオン化線２３１は、ケーシング第１部２１１の上端から、下端近傍の上記ブリッジ２１７まで延びている。イオン化線２３１は、ブリッジ２１７の先端付近両側の窪みに嵌合し、当該先端を半周して、ケーシング第１部２１１の上端に向けて折り返す。イオン化線２３１は、ケーシング第１部２１１の上端まで延び、ケーシング第１部２１１の上端に戻ってきたイオン化線２３１の端は、ケーシング第１部２１１の上端に取り付けられている。すなわち、イオン化線２３１は、Ｕ字状に設置されている。
【００４６】
ケーシング第２部２１２は、縦方向に長く、図７に示されているように横断面が凹型形状をしている。ここで、当該凹型形状の凹面をケーシング第２部２１２の内側、当該凹型形状の凹面と反対側の面をケーシング第２部２１２の外側とする。また、外側から観た場合の左右をケーシング第２部２１２の左右とする。ケーシング第２部２１２の内側には、負極である電極板２３２が取り付けられている。電極板２３２は、ケーシング第２部２１２の長手方向に並行な３つの対向する壁を形成するように成形されている。ここで、説明の便宜上、当該３つの壁のうち、真ん中に位置する壁を中壁２３２ｂ、当該中壁２３２ｂの左右に位置する壁をそれぞれ左壁２３２ｃ、右壁２３２ａとする。左壁２３２ｃと右壁２３２ａは、ケーシング第２部２１２が形成する空間内に収まっている。一方、中壁２３２ｂは、当該空間から数ミリ程度外に出ている。なお、ケーシング第２部２１２の下端には、図６に示されているように、水抜き穴２１８が設けられており、ケーシング内に水が溜まらないようになっている。
【００４７】
図６に示すように、ヒンジ２１３は、ケーシング第１部２１１の右側と、ケーシング第２部２１２の左側とをつなぎとめている。ここで、右或いは左とは、ケーシング第１部及びケーシング第２部の外側から観た場合の右或いは左である（以下同様）。ケーシング第１部２１１とケーシング第２部２１２とを繋ぐヒンジ２１３を閉じると、図８に示すように、ケーシング第１部２１１の縁とケーシング第２部２１２の縁とが接するようになっている。ヒンジ２１３が閉じられた状態では、イオン化線２３１は、ケーシング第２部２１２により形成された空間に位置し、中壁２３２ｂをＵ字状に囲む。また、当該Ｕ字状のイオン化線２３１は、外側から左壁２３２ｃ及び右壁２３２ａに囲まれた状態になる。即ち、イオン化線２３１は、左壁２３２ｃと中壁２３２ｂとの間、及び中壁２３２ｂと右壁２３２ａとの間に位置し、それぞれの壁に並行な状態で、当該壁と放電に適切な一定の距離を保って位置する。
【００４８】
イオン化線２３１に高電圧を印加すると、当該２つの電極間に電位差が生じ、イオン化線２３１と電極板２３２とが対向している部位において、当該２つの電極間で１種のコロナ放電が生じる。当該放電が起こる部位を放電発生部と呼ぶ。
【００４９】
放電発生部を覆う部分（格子部２００ａ）では、ケーシング第１部２１１及びケーシング第２部２１２は、格子状になっている。また、ケーシング第１部２１１の当該格子部２００ａの外側は、プレフィルタ２１９により覆われている。ケーシング第１部２１１の格子部２００ａの外側は、吸い込まれる空気の気流の上流にあたる。吸い込まれた空気は、当該格子部２００ａからケーシング２１０内に入り込み、放電部を通過する。通過する空気中の塵埃は、放電により帯電する。
【００５０】
＜把持部＞
ケーシング第１部２１１及びケーシング第２部２１２のうち格子部２００ａの上に位置する部位は、把持部２００ｂと呼ばれる。把持部２００ｂにおいては、ケーシング第１部２１１及びケーシング第２部２１２は、格子状になっておらず、ケーシング第１部２１１は、手で掴みやすいように少し凹んでいる。即ち、ケーシング第１部２１１は、把持部２００ｂにおいて、その半円形状をした横断面の半径が、上記格子部２００ａよりも小さくなっている。把持部２００ｂは、側方吸込口形成部材１０３の外側から観た場合、側方吸込口形成部材１０３の後方に重なって位置しており、第１側方吸込口１１１から流入する空気に直接あたらない。このため、把持部２００ｂには、塵埃が付着しにくく、汚れにくくなっている。したがって、利用者は、把持部２００ｂを掴むことにより手を汚さずに第１放電ユニット２０１を着脱できるようになっている。
【００５１】
＜接点部＞
次に、図６を参照しながらイオン化線２３１及び電極板２３２からなる電極と高電圧電源を有する回路との接点について説明する。
【００５２】
ケーシング第１部２１１の上端からは、横断面がＴ字型に近い形状をした合成樹脂製の接点部材（以下、第１接点部材２１４とする）が突出している。第１接点部材２１４は、ケーシング第１部２１１の上端の縦方向の中心線よりも右よりに付いている。第１接点部材２１４は、本体２１４ａとフランジ部２１６ａとからなる。図６に示されているように、第１接点部材本体２１４ａの左側には、２つの板状突出部が設けられている。当該２つの突出部は、正極の接点端子（以下、第１接点端子２３３とする）であり、正極であるイオン化線２３１の両端それぞれからハーネスが当該各突出部のいずれか異なる１つの先まで延びている。第１接点部材本体２１４ａの右側は、板状のフランジ部２１６ａと接合している。フランジ部２１６ａの平面は、第１接点部材本体２１４ａの平面と略直角をなすように構成されている。即ち、第１接点部材本体２１４ａとフランジ部２１６ａが接合している部分の横断面は、Ｔ字型に近い形状になっている。
【００５３】
また、ケーシング第２部２１２の上端からは、横断面がＴ字型に近い形状をした合成樹脂製の接点部材（以下、第２接点部材２１５とする）が突出している。第２接点部材２１５は、ケーシング第２部２１２の上端の縦方向の中心線よりも左よりに付いている。第２接点部材２１５は、本体２１５ａとフランジ部２１６ｂとからなる。第２接点部材本体２１５ａの右端に沿って、負極である電極板２３２の一部が板状に延びており、負極の接点端子（以下、第２接点端子２３４とする）を形成している。第２接点部材本体２１５ａの左側は、板状のフランジ部２１６ｂと接合している。フランジ部２１６ｂの平面は、第２接点部材本体２１５ａの平面と略直角をなすように構成されている。即ち、第２接点部材本体２１５ａとフランジ部２１６ｂが接合している部分の横断面は、Ｔ字型に近い形状になっている。
【００５４】
なお、ケーシング第１部２１１とケーシング第２部２１２とを繋ぐヒンジ２１３が閉じると、第１接点部材２１４のフランジ部２１６ａと第２接点部材２１５のフランジ部ｂ２１６とは、１つのフランジ２１６を形成する。
【００５５】
なお、上記第１接点端子２３３と第２接点端子２３４を合わせて接点部と呼ぶ。
【００５６】
＜放電ユニットＲ＞
放電ユニットＲ２０２は、次の点を除いては、放電ユニットＬ２０１と同じ構成を有している。すなわち、ケーシング第１部２１１とケーシング第２部２１２とは、放電ユニットＲ２０２では、放電ユニットＬ２０１とは反対側（ケーシング第１部２１１の右側及びケーシング第２部２１２の左側）でヒンジ２１３により繋がれている。また、第１接点部材２１４及び第２接点部材２１５がついている位置も放電ユニットＬ２０１とは、反対側（ケーシング第１部２１１の縦方向の中心線よりも左側、ケーシング第２部２１２の縦方向の中心線よりも右側）よりである。第１接点端子２３３は第１接点部材本体２１４ａの右側に突出している。第１接点部材２１４及び第２接点部材２１５のフランジ部２１６ａ、２１６ｂもそれぞれ第１接点部材本体２１４ａの左側及び第２接点部材本体２１５ａの右側に設けられている。
【００５７】
＜放電ユニットの装着＞
再び図４に戻ると、空気清浄機１００の本体１００ａの正面の上部には、接点ユニット３０１が配置されている。図９は、上を覆うカバーを外した状態の接点ユニット３０１の正面斜視図である。接点ユニット３０１には、放電ユニット２００を高電圧電源に接続する回路を構成するハーネスが収納されている。接点ユニット３０１の前面には、縦スリット３０２が当該前面の左右両側に２つずつ計４つ設けられている。放電ユニット２００は、第１接点端子２３３及び第２接点端子２３４が、接点ユニット３０１の前面に設けられた各縦スリット３０２に挿入され、取り付けられる。当該縦スリット３０２内には、クリップ状のハーネス端子３０３が設けられている。第１接点端子２３３及び第２接点端子２３４が縦スリット３０２に挿入されると、当該ハーネス端子３０３に挟まれるようになっている。これにより、放電ユニット２００の電極、即ちイオン化線２３１及び電極板２３２が高電圧電源を含む回路と接続される。
【００５８】
なお、第１接点端子２３３及び第２接点端子２３４が、接点ユニット３０１の前面に設けられた縦スリット３０２に挿入され、放電ユニット２００が接点ユニット３０１に取り付けられた状態では、縦スリット３０２と放電ユニット２００の第１接点端子２３３或いは第２接点端子２３４との間の隙間は、放電ユニット２００のフランジ２１６により覆われる。
【００５９】
（２−３）他の構成要素
空気清浄機１００の他の構成要素を以下に説明する。
【００６０】
（２−３−１）フィルタ部
図３に示されているように、フィルタ部３１０は、プレフィルタ３１１とＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）フィルタ３１２と脱臭エレメント３１３とで構成されている。まず、プレフィルタ３１１によって大きな塵埃が取り除かれる。次に、ＨＥＰＡフィルタ３１２によってさらに微細な塵埃が取り除かれる。さらに、ＨＥＰＡフィルタ３１２を通過した空気は、活性炭などを含む脱臭エレメント３１３によってホルムアルデヒドや臭い成分などが分解され、或いは吸着される。
【００６１】
（２−３−２）ストリーマ放電ユニット
シロッコファン３５０から吹き出される空気のうちの一部が、図３に示す支流５０２としてストリーマ放電ユニット（図４及び図９において接点ユニット３０１に装着されている３４０）に送られる。この支流５０２がストリーマ放電ユニット３４０を通過するときに、ストリーマ放電によって活性種が供給される。活性種の供給された支流５０２は、複数の分流となって放出口３３１からプレフィルタ３１１の前に吹き出される。
【００６２】
複数の分流は、プレフィルタ３１１から吸い込まれる室内空気に合流してＨＥＰＡフィルタ３１２及び脱臭エレメント３１３にまで到達する。脱臭エレメント３１３にまで達する活性種によって消臭効果が高められる。
【００６３】
ストリーマ放電ユニット３４０は、正極であるタングステン製の針状の電極と、当該針状電極の近傍に位置し、当該電極に対向する板状の電極（対向電極）を有する。針状電極に高電圧を印加することによりプラズマ放電の一種であるストリーマ放電が発生する。当該放電発生の際に酸化分解力の高い活性種が生成される。
【００６４】
生成された活性種を含む空気は、図３に示すような２つの鉛直風通路部材３３０へ流入する。空気清浄機１００の第１側方吸込口１１１及び第２側方吸込口１１２は、上述のとおり鉛直方向に長い開口であるが、２つの鉛直風通路部材３３０は第１側方吸込口１１１及び第２側方吸込口１１２に沿って配置されている。各鉛直風通路部材３３０には、複数の放出口３３１が第１側方吸込口１１１及び第２側方吸込口１１２の鉛直方向に沿うように形成されている。鉛直風通路部材３３０へ流入した活性種を含む空気は、当該放出口３３１からフィルタ部３１０のプレフィルタ３１１の前に吹き出される。
【００６５】
（２−３−３）加湿部３２０
加湿部３２０は、加湿ロータ３２１や水トレイ３２２などを備えている。脱臭エレメント３１３を通過した空気は、加湿部３２０の加湿ロータ３２１を通過する。加湿ロータ３２１を空気が通過する際に、加湿ロータ３２１から空気中に水分が放出される。放出されることによって減少する水分を補うため、加湿ロータ３２１は、水トレイ３２２から水の供給を受ける。水トレイ３２２には、鉛直通風路部材３３０に設けられた上記放出口３３１の１つから活性種を含む空気が導入される。
【００６６】
（３）空気清浄動作
図３を参照しながら、空気清浄機１００による空気清浄作用について説明する。第１側方吸込口１１１及び第２側方吸込口１１２から吸い込まれた空気は、放電ユニット２００に到達する。そこで、放電ユニット２００のケーシング第１部２１１の外側に設けられたプレフィルタにより比較的大きなホコリや塵が空気中から除去される。次に、空気は放電ユニット２００の放電部を通過する。その際、空気に含まれる塵埃等がプラス電荷に帯電する。そして、空気は、フィルタ部３１０に到達する。他方、下吸込口１１３から吸い込まれた空気は、フィルタ部３１０に到達する。
【００６７】
フィルタ部３１０では、空気は先ず、プレフィルタ３１１を通過する。その際、比較的大きなホコリや塵が、プレフィルタ３１１により空気中から除去される。また、プレフィルタ３１１に含まれる光触媒とカテキンとの作用により、プレフィルタ３１１の繊維に付着した塵埃などに含まれるカビ菌や細菌などの菌やウィルスの繁殖が抑制されるとともに、ウィルスが不活化される。
【００６８】
プレフィルタ３１１を通った空気は、ＨＥＰＡフィルタ３１２を通過する。当該空気中の帯電した塵埃等は、ＨＥＰＡフィルタ３１２に吸着される。
【００６９】
ＨＥＰＡフィルタ３１２を通過した空気は、脱臭エレメント３１３を通過し、この際脱臭される。
【００７０】
その後、当該空気は、加湿部３２０の加湿ロータ３２１に到達する。空気は、加湿ロータ３２１を通過し、加湿される。
【００７１】
フィルタ部３１０及び加湿ロータ３２１を通過して清浄された空気は、吹出口１１４から室内へと吹き出される。また、清浄された空気の一部は、室内へと吹き出されることなく支流５０２となって、ストリーマ放電ユニット３４０へ導入される。
【００７２】
ストリーマ放電ユニット３４０におけるストリーマ放電により活性種が生成される。活性種を含む空気は、２つの鉛直通風路部材３３０内を通り、各鉛直通風路部材３３０に形成された複数の放出口３３１からプレフィルタ３１１の前に放出される。活性種を含む空気は、吸込空気と混ざり合ってプレフィルタ３１１及びＨＥＰＡフィルタ３１２に吸い込まれる。これらの活性種を含んだ空気は、ウィルスやカビ菌、細菌などを不活化または死滅させる。
【００７３】
（４）特徴
（４−１）
上記実施形態では、縦に長い筒状の放電ユニット２００が、側方吸込口１１０に沿って、その近傍に配置されている。側方吸込口１１０は、側方吸込口形成部材１０３に、空気清浄機１００の正面視において側方に形成されている。これにより、放電機能を備えた空気清浄機１００の奥行きの寸法をなるべく小さくできている。
【００７４】
（４−２）
上記実施形態では、放電ユニット２００は、正極であるイオン化線と負極である電極板とを有しており、空気清浄機１００から取り外し可能に構成されている。これにより、放電ユニット２００の清掃が容易にできるようになっている。
【００７５】
（４−３）
上記実施形態では、放電ユニット２００は、空気清浄機１００の側面視においてフィルタ部３１０のプレフィルタ３１１に重なって配置されている。これにより、放電機能を備えた空気清浄機１００の奥行きの寸法をさらに小さくできている。
【００７６】
（４−４）
上記実施形態では、放電ユニットＬ２０１が、第１側方吸込口１１１に沿って、その近傍に配置されている。第２側方吸込口１１２の近傍には、放電ユニットＲ２０２が、第２側方吸込口１１２に沿って配置されている。これにより、両側方に配置された放電ユニット２００の間のスペースを空けることが出来ている。したがって、放電機能を備えた空気清浄機１００の奥行きの寸法をさらに短くできている。
【００７７】
（４−５）
上記実施形態では、放電ユニット２００は、空気清浄機１００の側面視において、側方吸込口形成部材１０３に重なって配置されている。このため、空気清浄機１００の側面視において放電ユニット２００が側方吸込口形成部材１０３の後方に隠れて見えにくくなっている。このため、安全性を確保することができている。
【００７８】
（４−６）
上記実施形態では、側方吸込口１１０は、空気清浄機１００の正面視において放電ユニット２００の斜め後方に位置している。このため、空気清浄機１００の側面視において放電ユニット２００が側方吸込口形成部材１０３の後方に隠れて見えにくくなっている。このため、安全性を確保することができている。
【００７９】
（４−７）
放電ユニット２００の気流の上流部にあたるケーシング第１部２１１の外側は、プレフィルタ２１９により覆われている。したがって、空気清浄機１００の集塵能力を高めることができている。
【００８０】
（４−８）
上記実施形態では、前パネル１０２とフィルタ部３１０のプレフィルタ３１１との間の距離が少なくとも４ｃｍの空間が設けられている。したがって、空気清浄機１００内の空気の流れをスムーズにすることができている。
【００８１】
（５）変形例
（５−１）変形例１Ａ
上記実施形態においては、放電ユニット２００は、第１側方吸込口１１１及び第２側方吸込口１１２それぞれに沿って１つずつ、計２つ配置されていたが、他の実施形態においては、放電ユニット２００を、３つ以上備えてもよい。例えば、下吸込口１１３にそってプレフィルタ２１９をケーシング第１部２１１の外側に有する上述した放電ユニット２００を横に配置してもよい。ケーシング第１部２１１の外側は、気流の上流にあたる。これにより、集塵能力を高めることができる。
【００８２】
（５−２）変形例１Ｂ
上記実施形態では、側方吸込口１１０は、１つのケーシング部材１０１である側方吸込口形成部材１０３に形成されていた。また、前パネル１０２は、側方吸込口形成部材１０３とは、別のケーシング部材１０１であり、前パネル１０２は、下方吸込口１１３を形成するように構成されていた。しかし、他の実施形態においては、側方吸込口１１０は、２以上のケーシング部材１０１により形成されてもよい。また、下吸込口１１３も、２以上のケーシング部材１０１により形成されてもよい。さらに、他の実施形態においては、下吸込口１１３は、前パネル１０２に形成されていても良く、また、前パネル１０２と側方吸込口形成部材１０３とは、一体化された１つのケーシング部材１０１であってもよい。
【００８３】
（５−３）変形例１Ｃ
上記実施形態では、空気調和機は、空気清浄機１００であった。しかし、他の実施形態においては、空気調和機は、ルームエアコン、業務用エアコン等、どのような空気調和機でもよい。
【００８４】
（５−４）変形例１Ｄ
上記実施形態では、放電ユニット２００は、電気集塵機能を発揮するものであった。しかし、他の実施形態においては、他の機能を発揮するものでも良い。例えば、放電ユニット２００は、ストリーマ放電ユニット３４０のようにストリーマ放電を発生させ、強酸化物である活性種を生成するものでもよい。また、マイナスイオンを生成するものでもよい。
【産業上の利用可能性】
【００８５】
本発明は、放電機能を搭載した空気調和機に利用可能である。
【符号の説明】
【００８６】
１００            空気清浄機（空気調和機）
１００ａ          本体
１０２            前パネル（ケーシング部材）
１０３            側方吸込口形成部材（ケーシング部材）
１１０            側方吸込口
１１１            第１側方吸込口（側方吸込口）
１１２            第２側方吸込口（側方吸込口）
１１３            下吸込口
１１４            吹出口
２００            放電ユニット（側方放電部）
２０１            放電ユニットＲ（側方放電部）
２０２            放電ユニットＬ（側方放電部）
２１８            水抜き穴
２１９            プレフィルタ（第１プレフィルタ）
３１０            フィルタ部
３１１            プレフィルタ（フィルタ部）
３１２            ＨＥＰＡフィルタ（フィルタ部）
３１３            脱臭エレメント（フィルタ部）
【先行技術文献】
【特許文献】
【００８７】
【特許文献１】特開２００７−６１６６８号公報
【特許文献２】実開昭６３−６３１２９号公報
【図１】
2013007553.tif 000003
【図２】
2013007553.tif 000004
【図３】
2013007553.tif 000005
【図４】
2013007553.tif 000006
【図５】
2013007553.tif 000007
【図６】
2013007553.tif 000008
【図７】
2013007553.tif 000009
【図８】
2013007553.tif 000010
【図９】
2013007553.tif 000011
【図１０】
2013007553.tif 000012